(57)【要約】      （修正有）【課題】熱源装置を設置する際に使用する持ち手を、新たな部品を製造する必要がなく梱包用のダンボールを使用して簡易的に用いることで、コスト安で環境に配慮した熱源装置の梱包装置を提供すること。【解決手段】側板に熱交換器用給気口４を設けた熱源装置１の上部を覆い天面と側面を有する箱状に形成された上部ダンボール２を備えた熱源装置１の梱包装置１０であって、前記上部ダンボール２は少なくとも1か所の角部に当該角部から分離部を分離するための分離線を備え、前記分離線は分離される前記分離部が前記熱交換器用給気口４の内側に挿入可能な大きさになるように形成されている。【選択図】図１
2019108137.tif 000002
【特許請求の範囲】
【請求項１】
側板に熱交換器用給気口を設けた熱源装置の上部を覆い天面と側面を有する箱状に形成された上部ダンボールを備えた熱源装置の梱包装置であって、前記上部ダンボールは少なくとも1か所の角部に当該角部から分離部を分離するための分離線を備え、
前記分離線は分離される前記分離部が前記熱交換器用給気口の内側に挿入可能な大きさになるように形成されていることを特徴とする熱源装置の梱包装置。
【請求項２】
前記上部ダンボールは、さらに分離線の前記天面と側面の稜線に交差する位置から稜線に沿って前記角部側に向かう切り込み線を有することを特徴とする請求項１に記載の熱源装置の梱包装置。
【請求項３】
前記上部ダンボールは、前記天面に前記分離線と並んで前記分離線よりも前記角部側に設けられた折り曲げ線を有することを特徴とする請求項２に記載の熱源装置の梱包装置。
【請求項４】
前記分離線はミシン目により形成されていることを特徴とする請求項２又は請求項３に記載の熱源装置の梱包装置。
【請求項５】
前記切り込み線はミシン目により形成されていることを特徴とする請求項３又は請求項４に記載の熱源装置の梱包装置。
【請求項６】
側板に熱交換器用給気口を設けた熱源装置の下部を覆い底面と側面を有する箱状に形成された下部ダンボールを備えた熱源装置の梱包装置であって、前記下部ダンボールは少なくとも1か所の角部に当該角部から分離部を分離するための分離線を備え、
前記分離線は分離される前記分離部が前記熱交換器用給気口の内側に挿入可能な大きさになるように形成されていることを特徴とする熱源装置の梱包装置。
【請求項７】
前記下部ダンボールは、さらに分離線の前記底面と側面の稜線に交差する位置から稜線に沿って前記角部側に向かう切り込み線を有することを特徴とする請求項６に記載の熱源装置の梱包装置。
【発明の詳細な説明】
【技術分野】
【０００１】
本発明は、熱源装置の梱包装置に関する。
【背景技術】
【０００２】
空気調和機やヒートポンプ式給湯機等の室外機である熱源装置には、その内部に圧縮機、熱交換器及び室外ファンが収納される。このような熱源装置では、設置時に運搬するための取手を設ける必要があった。
【先行技術文献】
【特許文献】
【０００３】
【特許文献１】特開平７−３０１４３４号公報
【発明の概要】
【発明が解決しようとする課題】
【０００４】
従来このような取手は、熱交換器用の通風開口がない一方の側面に取手が設けられ、他方の側面には、複数設けられた熱交換器用給気口の上部に外観略箱状の合成樹脂材で作られた取手が取り付けられている。熱交換器用給気口の上部に設けられる取手は、これを製造するのに新たに金型が必要となり、コスト高となっていた。また、取手を設けることで熱交換器用給気面積が少なくなり、熱交換器の放熱効率を落としていた。
【課題を解決するための手段】
【０００５】
上記の課題を解決するため本発明の実施形態に係る熱源装置の梱包装置は、側板に熱交換器用給気口を設けた熱源装置の上部を覆い天面と側面を有する箱状に形成された上部ダンボールを備えた熱源装置の梱包装置であって、前記上部ダンボールは少なくとも1か所の角部に当該角部から分離部を分離するための分離線を備え、前記分離線は分離される前記分離部が前記熱交換器用給気口の内側に挿入可能な大きさになるように形成されている。
【図面の簡単な説明】
【０００６】
【図１】本発明の実施形態に係る熱源装置の梱包装置の斜視図。
【図２】本発明の実施形態に係る梱包装置に梱包される熱源装置の斜視図
【図３】本発明の実施形態に係る上部ダンボールの一部拡大図
【図４】本発明の実施形態に係る分離部の展開図
【図５】本発明の実施形態に係る分離部の使用状態を示す斜視図
【発明を実施するための形態】
【０００７】
以下、発明を実施するための実施形態について説明する。
【０００８】
図１は、本発明の実施形態に係る熱源装置の梱包装置１０である。図２は同梱包装置によって梱包される熱源装置１の斜視図である。１は熱源装置、２は熱源装置の上部を覆う箱状の上部ダンボール、３は、熱源装置１の下部を覆う箱状の下部ダンボールである。熱源装置１は正面視が横長の長方形の箱状の筐体である。
梱包装置１０は、上部ダンボール２と下部ダンボール３で構成され、これらの上部及び下部ダンボール２、３は熱源装置１を運搬する際の保護部材としての役割を担っている。被梱包品となる熱源装置１は、下部ダンボール３上に載置され、上部に上部段ボールをかぶせた状態で図示しないプラスチックの紐で締結され、一体化される。
梱包される熱源装置１の一側面には熱交換器用給気孔４が設けられる。熱交換器給気孔４は横長の略長方形の孔で、同形状の孔が縦に整列して設けられている。この熱交換器用給気孔４の内部には室外熱交換器５がL字状に配置される。熱源装置１内の室外ファン（図示しない）が動作することで、外気が熱交換器用給気孔４及び熱源装置１の背面の大開口を通して吸い込まれ、室外熱交換器５を通過して再び室外へと放出される。これにより室外熱交換器５は外気と所定の熱交換を行う。また、図２に示すように筐体１１の右側は、側面板よって塞がれており、その中央上部には持ち手６が設けられている。
【０００９】
図３は上部ダンボール２の一部拡大図である。上部ダンボール２は、天面２１と側面２２を有し、下部が凹んだ断面略コの字状の箱である。上部ダンボール２は四角にそれぞれ角部２３を有している。角部２３のコーナー先端には先端部２４があり、先端部２４の形状は略直角であっても、若干湾曲していても、多角形状であっても良い。なお、下部ダンボール３の形状は断面略コの字の箱状で上部に凸になる方向で熱源装置１の下に敷かれる。
【００１０】
角部２３の近傍には、角部２３を構成する天面２１と側面２２の稜線となる左右の２辺のそれぞれから、分離線２５が黒色インク等で太目に印刷されている。なお、上部ダンボールは、一般的な薄い茶色であるため、分離線２５は、外側から明確に視認できる。分離線２５が２辺の稜線と交わる位置の各々は、先端部２４からほぼ同距離にあり、分離線２５で区画される天面２１は、ほぼ直角２等辺三角形となる。尚、分離線２５が２辺の稜線と交わる位置の各々は異なっていてもよい。例えば、分離線２５で区画される天面２１が先端部を略直角、その他の角を６０度、３０度などと構成してもよい。
また、分離線２５は、さらに上部ダンボール２の天面２１から側面２２まで延出される。具体的には、分離線２５は、天面２１と側面２２の交点となる２辺の稜線と交わる位置となる端部２５ａ、２５ｂから側面２２上に鉛直（真下）方向に向けて下方に伸び、側面２２の下端で終わっている。
この分離線２５は、熱源装置１の設置工事業者等がカッターナイフ等の切断具を用いて、上部ダンボール２から切り離すための目安線である。したがって、分離線２５は直線状であっても、間欠な点線状であってもよい。さらに、この分離線２５をミシン目で形成すると、設置工事業者等が切断具を用意する必要がないため、利便性が向上する。また切断具を使用する際の怪我等も防止できるためより安全に切断作業が可能となる。
【００１１】
分離線２５の端部２５ａ、２５ｂは上部ダンボール２の天面２１と側面２２の稜線上にあり、その端部２５ａ、２５ｂからそれぞれの稜線に沿って切り込み線２６が形成される。切り込み線２６も分離線２５と同じように上部ダンボール２上に黒色インク等で太目に印刷されている。この切り込み線２６は、先端部２４に至る稜線の途中で終わっている。この折り曲げ線２７の終端が端部２６ａ、２６ｂとなる。切り込み線２６も分離線２５と同様に熱源装置１の設置工事業者が必要に応じて切断具を用いて切り込むための目安線である。したがって、切り込み線２６は直線状であっても、間欠的に点線状であってもよい。また切り込み線２６をミシン目により構成すると、利便性が向上し、かつ安全に作業ができる。
【００１２】
２７は上部ダンボール２の天面２１上で、分離線２５よりも先端部２４側に位置し、分離線２５と平行に黒色点線で印刷された折り曲げ線である。折り曲げ線２７は、角部２３を構成する上部ダンボール２の天面２１と左右両側面２２の稜線となる２辺上のそれぞれに、天面２１上の端である端部２６ａ、２６ｂを有している。さらに折り曲げ線２７は、この端部２６ａ、２６ｂから上部ダンボール２の各側面２２上に延出している。すなわち、折り曲げ線２７は、端部２６ａ、２６ｂから側面２２上に鉛直（上下）方向に向けて下方に伸び、側面２２の下端で終わっている。各側面２上の折り曲げ線２７も黒色点線で印刷されている。
このように折り曲げ線２７を点線とすることで、切断する分離線２５や切り込み線２６の実線と異なる表示として、誤って折り曲げ線２７が切断されることがないようにしている。なお、点線、実線にかぎらず、切断する分離線２５や切り込み線２６の表示形態と折り曲げ位置であることを表示する折り曲げ線２７との表示または形態を変更しておけばよい。たとえば、分離線２５及び切り込み線２６と、折り曲げ線２７とをそれぞれ別の色で印刷しても良い。なお、分離線２５及び切り込み線２６は、いずれも切断する位置を示すものであることから表示形態を同一にしておくことが望ましい。好適には、分離線２５及び切り込み線２６は、ミシン目として、折り曲げ線２７は破線の印刷が良い。
【００１３】
図４は上部ダンボール２を分離線２５で切り離し、切り込み線２６に沿って切り込みを入れ、折り曲げ線２７で折り返した分離部３０の斜視図である。使用する際には、折り曲げ線２７に沿って図３のような形に展開して使用する。この際の展開方法としては、天面２１の折り曲げ線２７をほぼ９０度立上げ、側面２２の折り曲げ線２７をほぼ４５度曲げている。このように展開することで分離部３０は、先端部２４の裏側となる凹部３１と、凹部３１の両側面には上部ダンボール２の側面２２側の折り曲げ線２７で折り返した耳部３３、及び分離線２５と切り込み線２６と折り曲げ線２７で囲まれた逆台形状の保護部３２が形成される。この際、耳部３３と保護部３２ほぼ同一平面上に位置する。
【００１４】
図５は本実施形態の実際の使用状態を表したものである。熱源装置１の側面に設けられた熱交換器用給気口４の内の最上部にある熱交換器用給気口４に分離部３０の凹部３１を挿入する。この結果、先端部２４が熱交換器用給気口４の内側に入り込み、分離部３０の凹部３１に指を掛けて熱源装置１を持ち上げられるようになる。この際に、凹部３１の両側面に形成された耳部３３は熱交換器用給気口４よりも外方に延出し、凹部３１が熱源装置１内に落ち込まないようにストッパーの役割を果たす。また、保護部３２を上方に位置し外観略逆台形になるように取り付ける。この様に、凹部３１が熱交換器用給気口４の内側に入ることで持ち手の役割を果たし、もう一方の側面の持ち手６とともに設置工事業者等が指を掛けて熱源装置１を持ち上げることができる。
【００１５】
また、分離部３０の凹部３１を熱交換器用給気口４に挿入する際に、折り曲げ線２７と分離線２５間に位置する逆台形状の保護部３２を上に位置させることで、使用者の手の平が保護部３２に当接し、設置工事業者等が熱交換器用給気口４のエッジで手を切る等の怪我をする危険性が低くなる。
【００１６】
本実施形態では、一方の取手を分離部３０の上部ダンボール２を用いることから、熱源装置の設置に際し、新たに持ち手部品を製造するコストが掛からない。また環境負荷の観点からも、従来廃棄される上部ダンボール２を再利用していることから環境負荷も低い。
【００１７】
また、分離部３０は設置工事業者が熱源装置１を設置後、取り外して廃棄される。このため、設置後は熱交換器用給気口４が開放され、給気面積が増加し、室外熱交換器５の熱交換効率が向上する。また、熱源装置は一度設置すると１０〜２０年と長期に渡って使用されるため、こうした効率の向上は使用者にとって大きなメリットとなる。
【００１８】
なお、熱源装置１に持ち手がない場合には、熱源装置１を設置する際に、熱交換器用給気口４に手をかけて移動させるしかない。しかし、熱交換器用給気口４は板金加工の際にバリが出ることがあり、バリにより手を怪我する危険がある。さらに内部の熱交換器はアルミ製の薄いフィンで構成されるため、熱交換器用給気口４に挿入した手指をこのフィン端面で切創する危険性もある。その点、本実施形態ではダンボールを用いることでそういった怪我を防ぐことができる
【００１９】
なお、上記の実施形態は上部ダンボール２にて説明したが、同様に下部ダンボール３においても同様の手順で同様の効果を奏する。ただし、下部ダンボール３に分離部３０を設けると、分離部３０を下部ダンボール３から切断する際に、手掛けのない状態で一度熱源装置１を持ち上げて、下部ダンボール３上から熱源装置１を移動させなければならなくなるため、上部ダンボール２に分離部３０を設ける方が、手掛けのない状態で熱源装置１を持ち上げる必要がなく設置工事業者等に負担がかからないため好ましい。なお下部ダンボールの底面は上部ダンボールの天面２１に相当する。
また、耳部３３は、分離部３０が熱交換器用給気口４内に入り込むことを防止するストッパとして設けているが、保護部３２部分があれば、分離部３３全体が熱交換器用給気口４内に落ち込むことはないため、設けなくとも良い。
【００２０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２１】
１…熱源装置、２…上部ダンボール、３…下部ダンボール、４…熱交換器用給気口、５…室外熱交換器、６…持ち手、１０…熱源装置の梱包装置、２１…天面、２２…側面、２３…角部、２４…先端部、２５…分離線、２５ａ・２５ｂ…分離線の端部、２６…切り込み線、２６ａ・２６ｂ…切り込み線の端部、２７…折り曲げ線、３０…分離部、３１…凹部、３２…保護部、３３…耳部
【図１】
2019108137.tif 000003
【図２】
2019108137.tif 000004
【図３】
2019108137.tif 000005
【図４】
2019108137.tif 000006
【図５】
2019108137.tif 000007